(57)【特許請求の範囲】
【請求項１】
１以上の第一発光素子の明るさと１以上の第二発光素子の明るさとの比率を変化させることにより出力する光の色合いを変化させる照明装置であって、
前記１以上の第一発光素子と前記１以上の第二発光素子とを有する光源部と、
前記光源部に、他の照明装置に含まれる光源部と共通の色合いの光を出力させるための制御値が記憶された記憶部と、
前記制御値を用いて、前記１以上の第一発光素子に供給する電流の第一電流値と、前記１以上の第二発光素子に供給する電流の第二電流値とを算出する電流調整部と、
前記第一電流値と前記第二電流値とに従って、前記１以上の第一発光素子および前記１以上の第二発光素子に電流を供給する電源部とを備え、
前記制御値には、
予め定められた指示値に対して前記電源部が前記１以上の第一発光素子に対して出力する駆動電流の目標値と、前記指示値が与えられたときの実際の前記電源部の前記１以上の第一発光素子に対する駆動電流の出力値との比率を示す第三制御値と、
予め定められた指示値に対して前記電源部が前記１以上の第二発光素子に対して出力する駆動電流の目標値と、前記指示値が与えられたときの実際の前記電源部の前記１以上の第二発光素子に対する駆動電流の出力値との比率を示す第四制御値とが含まれる、
照明装置。
【請求項２】
前記制御値には、
予め定められた第一駆動電流が供給されたときの前記１以上の第一発光素子の明るさの目標値と、前記第一駆動電流が与えられたときの実際の前記１以上の第一発光素子の明るさとの比率を示す第一制御値と、
予め定められた第二駆動電流が供給されたときの前記１以上の第二発光素子の明るさの目標値と、前記第二駆動電流が与えられたときの実際の前記１以上の第二発光素子の明るさとの比率を示す第二制御値とが含まれる、
請求項１に記載の照明装置。
【請求項３】
前記記憶部は、さらに、光の色合い毎に、前記１以上の第一発光素子に供給する駆動電流の第一基準値と前記１以上の第二発光素子に供給する駆動電流の第二基準値とを記憶した調光テーブルを記憶し、
前記電流調整部は、前記制御値から求められる係数を前記第一基準値に乗算することにより前記第一電流値を算出し、前記制御値から求められる係数を前記第二基準値に乗算することにより前記第二電流値を算出する、
請求項１又は２に記載の照明装置。
【請求項４】
前記１以上の第一発光素子と前記１以上の第二発光素子とは、色温度が異なる、
請求項１〜３の何れか１項に記載の照明装置。
【請求項５】
１以上の第一発光素子および１以上の第二発光素子を有する光源部を備える照明装置の補正方法であって、
前記１以上の第一発光素子に予め定められた第一駆動電流を供給することにより前記１以上の第一発光素子を点灯させ、前記１以上の第二発光素子を消灯させた状態で、前記１以上の第一発光素子の明るさを測定することにより、前記１以上の第一発光素子の明るさの測定結果を示す第一測定値を取得するステップと、
前記１以上の第二発光素子に予め定められた第二駆動電流を供給することにより前記１以上の第二発光素子を点灯させ、前記１以上の第一発光素子を消灯させた状態で、前記１以上の第二発光素子の明るさを測定することにより、前記１以上の第二発光素子の明るさの測定結果を示す第二測定値を取得するステップと、
前記第一測定値および前記第二測定値を用いて、前記光源部に、他の照明装置に含まれる光源部と共通の色合いの光を出力させるための制御値を算出するステップと、
前記照明装置の記憶部に前記制御値を記憶するステップとを含み、
前記制御値を算出するステップでは、前記制御値として、前記１以上の第一発光素子における明るさの目標値と前記第一測定値との比率を示す第一制御値、および、前記１以上の第二発光素子における明るさの目標値と前記第二測定値との比率を示す第二制御値を算出する、
照明装置の補正方法。
【請求項６】
１以上の第一発光素子および１以上の第二発光素子を有する光源部を備える照明装置の補正方法であって、
前記１以上の第一発光素子を予め定められた明るさで点灯させ、前記１以上の第二発光素子を消灯させた状態で、前記１以上の第一発光素子に供給されている駆動電流の大きさを測定することにより、前記１以上の第一発光素子に供給されている駆動電流の測定結果を示す第一測定値を取得するステップと、
前記１以上の第二発光素子を予め定められた明るさで点灯させ、前記１以上の第一発光素子を消灯させた状態で、前記１以上の第二発光素子に供給されている駆動電流の大きさを測定することにより、前記１以上の第二発光素子に供給されている駆動電流の測定結果を示す第二測定値を取得するステップと、
前記第一測定値および前記第二測定値を用いて、前記光源部に、他の照明装置に含まれる光源部と共通の色合いの光を出力させるための制御値を算出するステップと、
前記照明装置の記憶部に前記制御値を記憶するステップとを含み、
前記制御値を算出するステップでは、前記制御値として、前記１以上の第一発光素子における明るさの目標値と前記第一測定値との比率を示す第一制御値、および、前記１以上の第二発光素子における明るさの目標値と前記第二測定値との比率を示す第二制御値を算出する、
照明装置の補正方法。
【請求項７】
前記照明装置は、さらに、前記１以上の第一発光素子および前記１以上の第二発光素子に駆動電流を供給する電源部を含み、
前記照明装置の補正方法は、さらに、
予め定められた指示値を与えたときに前記電源部から前記１以上の第一発光素子に対して出力される駆動電流の大きさを測定することにより、前記１以上の第一発光素子に対して出力される駆動電流の大きさを示す第三測定値を取得するステップと、
予め定められた指示値を与えたときに前記電源部から前記１以上の第二発光素子に対して出力される駆動電流の大きさを測定することにより、前記１以上の第二発光素子に対して出力される駆動電流の大きさを示す第四測定値を取得するステップとを含み、
前記制御値を算出するステップでは、さらに、前記電源部から前記１以上の第一発光素子に対して出力する駆動電流の目標値と第三測定値との比率を示す第三制御値、および、前記電源部から前記１以上の第二発光素子に対して出力する駆動電流の目標値と第四測定値との比率を示す第四制御値を算出し、
前記制御値を記憶するステップでは、前記第一制御値および前記第二制御値に加え、前記第三制御値および第四制御値を前記照明装置の記憶部に記憶する、
請求項５又は６に記載の照明装置の補正方法。 
【発明の詳細な説明】
【技術分野】
【０００１】
本発明は、照明装置および照明装置の補正方法に関する。
【背景技術】
【０００２】
従来、照明器具には、複数の発光素子を有する光源部を備え、各発光素子の明るさ（例えば、光束）の比率を変化させることにより出力する光の色合いを変化させる照明器具がある。照明器具の光源は、例えば、複数の第一発光素子を直列に接続した第一発光素子列と、複数の第二発光素子を直列に接続した第二発光素子列とが並列に接続されている。第一発光素子と第二発光素子とは色温度が異なる。このような照明器具では、上述したように、第一発光素子列の明るさと第二発光素子列の明るさとの比率を変化させることで、様々な調色を行うことができる。
【０００３】
特許文献１に記載の照明器具には、経時劣化に対応するために、累積点灯時間に対応した調光率を用いるものがある。
【先行技術文献】
【特許文献】
【０００４】
【特許文献１】特開２０１３−１６５００４号公報
【発明の概要】
【発明が解決しようとする課題】
【０００５】
しかしながら、特に、ＬＥＤ（Ｌｉｇｈｔ  Ｅｍｉｔｔｉｎｇ  Ｄｉｏｄｅ）素子を用いたＬＥＤ照明では、ＬＥＤ素子の個体差が大きい。特に、上述した照明器具のように、色温度の異なる複数の発光素子列を備え、複数の発光素子列の間で明るさの比率を調整することにより色合いを変化させる場合、発光素子列の種類数が多いほど、個体差による調光後の色合いの差が大きくなるという傾向がある。
【０００６】
特に、多数の同一種類のＬＥＤ照明が同一の室内にある程度近接して配置されるような場合には、隣接するＬＥＤ照明の間で色合いが比較されるため、ＬＥＤ照明の個体差により見え方の違いが顕著になるという問題がある。
【０００７】
そこで、本発明は、個体差による見え方の違いを抑制できる照明装置およびその補正方法を提供することを目的とする。
【課題を解決するための手段】
【０００８】
上記目的を達成するため、本発明の一態様に係る照明装置は、１以上の第一発光素子の明るさと１以上の第二発光素子の明るさとの比率を変化させることにより出力する光の色合いを変化させる照明装置であって、前記１以上の第一発光素子と前記１以上の第二発光素子とを有する光源部と、前記光源部に、他の照明装置に含まれる光源部と共通の色合いの光を出力させるための制御値が記憶された記憶部と、前記制御値を用いて、前記１以上の第一発光素子に供給する電流の第一電流値と、前記１以上の第二発光素子に供給する電流の第二電流値とを算出する電流調整部と、前記第一電流値と前記第二電流値とに従って、前記１以上の第一発光素子および前記１以上の第二発光素子に電流を供給する電源部とを備え、前記制御値には、予め定められた指示値に対して前記電源部が前記１以上の第一発光素子に対して出力する駆動電流の目標値と、前記指示値が与えられたときの実際の前記電源部の前記１以上の第一発光素子に対する駆動電流の出力値との比率を示す第三制御値と、予め定められた指示値に対して前記電源部が前記１以上の第二発光素子に対して出力する駆動電流の目標値と、前記指示値が与えられたときの実際の前記電源部の前記１以上の第二発光素子に対する駆動電流の出力値との比率を示す第四制御値とが含まれる。
【発明の効果】
【０００９】
本発明の照明装置は、個体差による見え方の違いを抑制することができる。
【図面の簡単な説明】
【００１０】
【図１Ａ】図１Ａは、光源部の光束のばらつきの一例を示すグラフである。
【図１Ｂ】図１Ｂは、光源部に電源電圧を供給する電源部のばらつきの一例を示すグラフである。
【図２】図２は、本実施の形態に係る複数の照明器具が設置された室内の一例を示す斜視図である。
【図３Ａ】図３Ａは、実施の形態に係る照明器具の外観の一例を示す斜視図である。
【図３Ｂ】図３Ｂは、実施の形態に係る照明器具の一例を示す分解斜視図である。
【図４】図４は、実施の形態に係る照明装置の構成の一例を示すブロック図である。
【図５】図５は、実施の形態に係る調光テーブルの一例を示す図である。
【図６】図６は、実施の形態に係る照明装置の補正方法の処理手順の一例を示すフローチャートである。
【発明を実施するための形態】
【００１１】
＜課題の詳細および本発明の基礎となった知見＞
上述したように、色温度の異なる複数種類のＬＥＤ素子を光源として用いたＬＥＤ照明のように、器具間の個体差が大きい照明器具では、複数の照明器具が同じ室内に配置されると、照明器具の間で色合いに差が生じるという問題がある。
【００１２】
複数の照明器具の間で色合いを揃えるための方法としては、例えば、構造上のばらつきを抑える方法がある。構造上のばらつきとしては、同じ大きさの駆動電流を供給したときにおける発光素子列の間での明るさのばらつき（全光束のばらつき、ルーメン（全光束の単位）のばらつき）と、光源を駆動する電源部の（駆動電流の）ばらつきとがある。
【００１３】
図１Ａは、発光素子列のルーメンのばらつきの一例を示すグラフであり、同じ大きさの駆動電流を供給したときの複数の発光素子列のルーメンの分布を示している。図１Ｂは、光源部に電源電圧を供給する電源部のばらつきの一例を示すグラフであり、同じ指示値（明るさの指示値および色温度の指示値）を与えたときに電源部から出力される駆動電流の大きさの分布を示している。図１Ａおよび図１Ｂでは、構造上のばらつきを抑えるように照明装置を設計した場合のグラフであり、比較的ばらつきが小さい場合を示している。
【００１４】
図１Ａから分かるように、例えば、ＬＥＤ照明の場合、構造上のルーメンのばらつきは、設計上のルーメンの目標値（ルーメンのｔｙｐ値）に対して±１０〜１５％程度となる。さらに、図１Ｂから分かるように、ＬＥＤ照明の場合、電源部から出力される駆動電流のばらつきは、設計上の駆動電流の目標値（駆動電流のｔｙｐ値）に対して±１０〜１５％程度となる。図１Ａおよび図１Ｂから分かるように、構造上のルーメンのばらつきおよび駆動電流のばらつきはそれぞれ±１０〜１５％であるから、照明装置全体ではトータルで２５％程度のばらつきが生じることになる。
【００１５】
ここで、上述したばらつきを、人が見たときに同じ色に見える範囲に収めることを目標としたい。人が見たときに同じ色に見える範囲が例えば１０％程度であるとすると、２５％のばらつきがあるときには人の目には異なる色に見え、見え方の違いが起こるという問題がある。
【００１６】
そこで、以下の実施の形態では、照明器具間での光の色合いのばらつきを抑えるため、調光率を制御するように構成した。
【００１７】
以下では、本発明の実施の形態に係る照明装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１８】
また、各図は、模式図であり、必ずしも厳密に図示されたものではない。また、各図において、同じ構成部材については同じ符号を付している。
【００１９】
（実施の形態）
実施の形態の照明装置について、図２〜図４を用いて説明する。本実施の形態では、複数の照明装置が、同じ室内に設置される場合を例に説明する。
【００２０】
［１．照明器具の全体構成］
図２は、本実施の形態に係る複数の照明器具が設置された室内の一例を示す斜視図である。図３Ａは、実施の形態に係る照明器具の外観の一例を示す斜視図である。図３Ｂは、実施の形態に係る照明器具の一例を示す分解斜視図である。図４は、実施の形態に係る照明装置の構成の一例を示すブロック図である。
【００２１】
図２に示すように、本実施の形態では、複数の照明器具１００は、それぞれ、天井に平行な面の形状が長方形状の照明器具であり、天井Ｃｅにマトリクス状に設置されている。
【００２２】
図３Ａおよび図３Ｂに示すように、実施の形態に係る照明器具１００は、照明装置１１０と、器具本体２００とを備える。
【００２３】
器具本体２００は、照明器具１００のベースとなる部材であり、例えばボルトおよびナット等により天井に固定される。器具本体２００には、照明装置１１０が着脱可能に取り付けられる。
【００２４】
また、器具本体２００から延設された電線の端部にコネクタ２７０が設けられており、照明装置１１０から延設された電線の端部にコネクタ１７０が設けられている。これらコネクタ２７０とコネクタ１７０とが連結されることで、器具本体２００から照明装置１１０に、照明装置１１０の発光に必要な電力が供給される。
【００２５】
なお、図３Ａおよび図３Ｂに図示していないが、例えば、照明装置１１０の点灯、消灯および調光等の操作を壁に設置された操作パネルから行う場合、操作パネルと照明装置１１０との間の信号のやり取りのための制御線が照明装置１１０に接続される。なお、操作パネルと照明装置１１０とは、無線により信号をやり取りしても構わない。
【００２６】
照明装置１１０は、照明光を放出する光源部１２０と、光源部１２０を覆うカバー部材１８０とを有する。
【００２７】
光源部１２０は、互いに色温度が異なる複数の種類の発光素子を有し、調光制御（明るさの制御）および調色制御（発光色の制御）が可能な発光モジュールである。本実施の形態では、光源部１２０の光源としてＬＥＤ素子が採用されている。光源部１２０の制御の例などの照明装置１１０の詳細については、後述する。
【００２８】
カバー部材１８０は、光源部１２０から発せられた光を透過させる部材である。また、本実施の形態では、カバー部材１８０は、光源部１２０から発せられた光を拡散する機能を有している。例えば、シリカもしくは炭酸カルシウムなどの光拡散材（微粒子）を含有する樹脂、または、白色顔料を、透明なガラスまたは樹脂で形成されたカバー部材１８０の内面または外面に付着させることで、乳白色の光拡散膜がカバー部材１８０に形成される。
【００２９】
なお、カバー部材１８０が光を拡散する機能を有することは必須ではなく、カバー部材１８０は、カバー部材１８０の外部から内部を視認可能な程度に透明であってもよい。
【００３０】
また、照明装置１１０の形状および構成は、図３Ａおよび図３Ｂに示す形状および構成に限定されず、例えば、照明装置１１０の平面視における外観が円形または正方形等であってもよい。また、例えば光源部１２０の全体が透光性を有する樹脂で封止されている場合などにおいて、光源部１２０を覆うカバー部材１８０がなくてもよい。
【００３１】
［２．照明装置の構成］
次に、本実施の形態に係る照明装置１１０の基本的な構成および動作について、図４を用いて説明する。
【００３２】
図４に示すように、照明装置１１０は、光源部１２０、受付部１１１、電流調整部１１２および記憶部１１３を備えている。
【００３３】
光源部１２０は、電流調整部１１２による制御に従って点灯または消灯する。本実施の形態では、光源部１２０は、第一光源部１２１および第二光源部１２２を備える。第一光源部１２１は、第一色温度の光を出力する１以上の第一ＬＥＤ素子（第一発光素子）により構成される。第一色温度は、例えば、低い色温度である。第二光源部１２２は、第一色温度とは異なる第二色温度の光を出力する１以上の第二ＬＥＤ素子（第二発光素子）を有する。第二色温度は、例えば、高い色温度である。
【００３４】
つまり、本実施の形態では、第一光源部１２１は、例えば一般に温白色と呼ばれる色の光を放出する光源であり、第二光源部１２２は、例えば一般に昼光色と呼ばれる色の光を放出する光源である。光源部１２０では、色温度が互いに異なる２種類の光源それぞれの光出力のバランス（比率）が変更されることで、光源部１２０から放出される光の色合いが変更される。
【００３５】
本実施の形態における光源部１２０では、低い色温度の光源の例として、２７００Ｋの光源を用い、高い色温度の光源との例として、６５００Ｋの光源を用いて説明する。この場合、２つの光源を用いることにより、２７００Ｋから６５００Ｋまでの間で色温度の変更が可能である。つまり、本実施の形態における光源部１２０では、低い色温度の光源から高い色温度までの間で、色温度の変更が可能である。なお、これらの低い色温度および高い色温度は一例であり、照明装置１１０の用途等に応じて任意に決定することができる。
【００３６】
なお、本実施の形態では、光源部１２０は、２つの色温度のＬＥＤ素子を備えるが、これに限るものではない。３以上の色温度のＬＥＤ素子を備えていても構わない。
【００３７】
受付部１１１は、例えば、操作パネル３００のような外部の装置から送信される信号を受信する受信機である。受付部１１１は、外部の装置から送信される信号を受信し、電流調整部１１２に対して出力する。
【００３８】
ここで、操作パネル３００は、例えば、居室の壁面などに固定的に設置される装置である。操作パネル３００は、色温度（Ｋ）を指示するスライドレバー３０１、明るさを指示するスライドレバー３０２および光源部１２０の点灯と消灯とを切り替える電源スイッチ３０３とを備えている。操作パネル３００は、スライドレバー３０１、１３２あるいは電源スイッチ３０３が操作されたときに、色温度を示す信号、明るさを示す信号、点灯または消灯を示す信号の少なくとも何れか一つを送信する。操作パネル３００は、スライドレバー３０１が操作されたときは、操作後のスライドレバー３０１の位置により指示される色温度（以下、適宜「色温度の指示値」と称する）を示す信号を受付部１１１に対して送信する。操作パネル３００は、スライドレバー３０２が操作されたときは、操作後のスライドレバー３０２の位置により指示される明るさ（以下、適宜「明るさの指示値」と称する）を示す情報を受付部１１１に対して送信する。操作パネル３００は、電源スイッチ３０３が操作されたときは、電源スイッチ３０３の姿勢（オンまたはオフ）に応じて、点灯または消灯を示す信号を送信する。
【００３９】
なお、受付部１１１に対して各種の信号を送信する装置は、操作パネル３００に限られるものではない。受付部１１１に各種の信号を送信する装置としては、電源スイッチのみを備える操作パネル、赤外線によって信号を送信するリモコン（Ｒｅｍｏｔｅ  Ｃｏｎｔｒｏｌ）、および、携帯電話またはタブレット端末等の携帯端末が例示される。
【００４０】
電流調整部１１２は、光源部１２０の点灯、消灯、調光（明るさの調整）、および調色（発光色（色温度）の調整）等の動作を制御する。具体的には、電流調整部１１２は、受付部１１１によって受け付けられた色温度の指示値および明るさの指示値および記憶部１１３に記憶された制御値に従って、第一光源部１２１および第二光源部１２２に供給される電流の量を調整する。
【００４１】
電流調整部１１２は、例えば、マイコン（Ｍｉｃｒｏ  Ｃｏｎｔｒｏｌｌｅｒ）または専用回路等によって実現される。
【００４２】
記憶部１１３は、制御値を記憶する不揮発性の記憶装置である。記憶部１１３としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。
【００４３】
記憶部１１３には、調光テーブルが記憶されている。調光テーブルは、明るさの指示値（％）および色温度の指示値（Ｋ）のそれぞれに対し、第一光源部１２１に供給する電流の第一基準値ＲＩ１（％、Ｋ）と第二光源部１２２に供給する電流の第二基準値ＲＩ２（％、Ｋ）とを記憶したテーブルである。
【００４４】
以下、説明のため、所定の駆動電流を与えたときに出力される光のルーメンが設計上のルーメンの目標値となる第一光源部１２１（図１Ａのｔｙｐ値の第一光源部１２１）を第一基準光源部と称する。同様に、所定の駆動電流を与えたときに出力される光のルーメンが設計上のルーメンの目標値となる第二光源部１２２（図１Ａのｔｙｐ値の第二光源部１２２）を第二基準光源部と称する。また、所定の指示値を与えたときに出力される駆動電流の大きさが設計上の駆動電流の目標値となる第一電源部１３１を第一基準電源部と称する。同様に、所定の指示値を与えたときに出力される駆動電流の大きさが設計上の駆動電流の目標値となる第二電源部１３２を第二基準電源部と称する。
【００４５】
調光テーブルは、第一基準電源部、第二基準電源部、第一光源部１２１および第二光源部１２２を備える照明装置において、指示値毎に、第一基準光源部および第二基準光源部に供給する電流の量を記憶している。
【００４６】
図５は、本実施の形態に係る調光テーブルの一例を示す図である。図５に示す調光テーブルでは、第一基準値ＲＩ１（％、Ｋ）および第二基準値ＲＩ２（％、Ｋ）は、供給可能な駆動電流の最大値に対する比率で表わされている。例えば、色温度の指示値が２７００Ｋ、明るさの指示値が１００％の場合、第一光源部１２１の第一基準値は０％、第二光源部１２２の第二基準値は１００％となる。色温度の指示値が３０００Ｋ、明るさの指示値が１００％の場合、第一光源部１２１の第一基準値は５％、第二光源部１２２の第二基準値は１００％となる。色温度の指示値が４５００Ｋ、明るさの指示値が１００％の場合、第一光源部１２１の第一基準値は５０％、第二光源部１２２の第二基準値は５０％となる。色温度の指示値が６５００Ｋ、明るさの指示値が１００％の場合、第一光源部１２１の第一基準値は１００％、第二光源部１２２の第二基準値は０％となる。
【００４７】
また、例えば、色温度の指示値が２７００Ｋ、明るさの指示値が１０％の場合、第一光源部１２１の第一基準値は０％、第二光源部１２２の第二基準値は１０％となる。色温度の指示値が３０００Ｋ、明るさの指示値が１０％の場合、第一光源部１２１の第一基準値は０．５％、第二光源部１２２の第二基準値は１０％となる。色温度の指示値が４５００Ｋ、明るさの指示値が１０％の場合、第一光源部１２１の第一基準値は５％、第二光源部１２２の第二基準値は５％となる。色温度の指示値が６５００Ｋ、明るさの指示値が１０％の場合、第一光源部１２１の第一基準値は１０％、第二光源部１２２の第二基準値は０％となる。
【００４８】
なお、本実施の形態では、基準値は、最大値に対する比率で示しているが、電流の値（Ａ）であっても構わないし、他の指標であっても構わない。
【００４９】
なお、図５に示す調光テーブルの各数値は一例であり、第一光源部１２１および第二光源部１２２の色温度等に応じて任意に設定することができる。
【００５０】
記憶部１１３には、さらに、光源部１２０に他の照明装置に含まれる光源部と共通の色合いの光を出力させるための制御値が記憶されている。ここで、共通の色合いの光とは、色温度および明るさが完全に一致する場合だけでなく、人の目に同じ色に見える色温度の範囲内および明るさの範囲内の光を指す。上述したように、人が見たときに同じ色に見える範囲が例えば１０％程度であるとすると、共通の色合いの光は、例えば、色温度が色温度の指示値の１０％の範囲内であり、明るさが明るさの指示値の１０％の範囲内である光である。なお、色温度および明るさの範囲は、１０％に限られるものではない。
【００５１】
後で詳述するが、本実施の形態の制御値は、基準値に乗算される係数である（後で詳述するが、具体的には、逆数が基準値に乗算される）。本実施の形態において、制御値には、第一光源部１２１のルーメンのばらつきを補正するための第一制御値、および、第二光源部１２２のルーメンのばらつきを補正するための第二制御値が含まれる。さらに、制御値には、第一電源部１３１から出力される駆動電流のばらつきを補正するための第三制御値、および、第二電源部１３２から出力される駆動電流のばらつきを補正するための第四制御値が含まれる。
【００５２】
記憶部１１３には、さらに、製造年月日、製造メーカ、製造された工場、型番、寿命、ロット番号、およびサイズ等のような書き換えの必要の無い情報、あるいは、光源部１２０の累積点灯時間等のように、書き換えが適宜必要な情報が記憶されていても構わない。
【００５３】
電源部１３０は、電流調整部１１２からの制御信号に応じて、第一光源部１２１に対して駆動電流を供給する第一電源部１３１と、第二光源部１２２に対して駆動電流を供給する第二電源部１３２とを備えている。
【００５４】
［３．照明装置の補正方法］
照明装置１１０の補正方法について、図６を用いて説明する。
【００５５】
図６は、実施の形態に係る照明装置の補正方法の処理手順の一例を示すフローチャートである。図６では、照明装置１１０の補正方法の各ステップのうち、制御値の算出に関するステップについて示している。
【００５６】
図６に示す照明装置の補正方法は、図示しない補正装置により実行される。ここでの補正装置は、光源部１２０に駆動電流を供給する電源部（照明装置１１０の電源部とは異なる）、照度計、電源部１３０に指示値を与える電源制御部、制御値の算出を行う演算部、記憶部１１３にデータを書き込む通信部等が含まれる。
【００５７】
補正装置は、先ず、光源部１２０を構成する第一光源部１２１および第二光源部１２２のそれぞれについて、明るさの測定を行う（Ｓ１１、Ｓ１２）。なお、本実施の形態では、第一光源部１２１および第二光源部１２２の明るさの測定は、照明装置１１０の組み立て前に、つまり、第一光源部１２１および第二光源部１２２単体で実行する場合を例に説明する。
【００５８】
補正装置は、第一光源部１２１の点灯および明るさの測定を行う（Ｓ１１）。具体的には、補正装置は、予め定められた大きさのテスト用の第一駆動電流を補正装置の電源部を用いて第一光源部１２１に供給することにより、第一光源部１２１を点灯させる。このとき、補正装置は、第二光源部１２２に対しては駆動電流を供給せず、第二光源部１２２を消灯させた状態に維持する。補正装置は、第一光源部１２１を点灯させ第二光源部１２２を消灯させた状態で、照度計を用いて第一光源部１２１のルーメン（全光束）の測定を行う。補正装置は、第一光源部１２１のルーメンの測定結果である第一測定値を補正装置の記憶部に記憶する。
【００５９】
補正装置は、第二光源部１２２の点灯および明るさの測定を行う（Ｓ１２）。補正装置は、ステップＳ１１と同様に、予め定められた大きさのテスト用の第二駆動電流を補正装置の電源部を用いて第二光源部１２２に供給することにより、第二光源部１２２を点灯させる。補正装置は、第一光源部１２１を消灯させ、かつ、第二光源部１２２を点灯させた状態で、照度計を用いて第二光源部１２２のルーメンの測定を行う。補正装置は、第二光源部１２２のルーメンの測定結果である第二測定値を補正装置の記憶部に記憶する。
【００６０】
なお、第一光源部１２１の測定時において第一光源部１２１に供給される第一駆動電流の大きさと、第二光源部１２２の測定時において第二光源部１２２に供給される第二駆動電流の大きさとは、必ずしも同じである必要はない。
【００６１】
補正装置は、さらに、電源部１３０の測定を行う（Ｓ１３）。なお、本実施の形態では、第一電源部１３１および第二電源部１３２の駆動電流の測定は、照明装置１１０の組み立て前に、つまり、第一電源部１３１および第二電源部１３２単体で実行する場合を例に説明する。
【００６２】
具体的には、補正装置は、予め定められたテスト用の第一指示値を第一電源部１３１に与え、実際に第一電源部１３１から出力された駆動電流の出力値（第三測定値）を測定する。さらに、補正装置は、予め定められたテスト用の第二指示値を第二電源部１３２に与え、実際に第二電源部１３２から出力された駆動電流の出力値（第四測定値）を測定する。第一指示値と第二指示値とは同じである必要はない。補正装置は、駆動電流の測定結果を補正装置の記憶部に記憶する。
【００６３】
ステップＳ１１〜Ｓ１３の実行後、補正装置は、制御値の算出を行う（Ｓ１４）。
【００６４】
より詳細には、ｔｙｐ値に対する特性（ルーメン、駆動電流）のずれ方向がある程度同じになる光源部１２０と電源部１３０とを組み合わせて照明装置１１０を組み立てる。その後、照明装置１１０を構成する光源部１２０に対応する第一測定値と第二測定値とを取得する。さらに、照明装置１１０を構成する電源部１３０に対応する第三測定値と第四測定値とを取得する。
【００６５】
補正装置は、第一測定値を用いて第一制御値を算出する。第一制御値は、第一光源部１２１をルーメンの目標値で点灯させるために必要な第一電流値を算出するための指標値であり、明るさの目標値と第一測定値との比率で表わされる。ここでは、補正装置は、第一制御値として、第一測定値／第一光源部１２１のルーメンの目標値を算出する。ルーメンの目標値は明るさの目標値の一例である。
【００６６】
同様に、補正装置は、第二制御値として、第二光源部１２２のルーメンの目標値と第二測定値との比率、ここでは、第二測定値／第二光源部１２２のルーメンの目標値を算出する。
【００６７】
また、補正装置は、第三制御値として、第一電源部１３１の駆動電流の目標値と第三測定値との比率、ここでは、第三測定値／第一電源部１３１の駆動電流の目標値を算出する。
【００６８】
さらに、補正装置は、第四制御値として、第二電源部１３２の駆動電流の目標値と第四測定値との比率、ここでは、第四測定値／第二電源部１３２の駆動電流の目標値を算出する。
【００６９】
補正装置は、通信部により算出された制御値（第一制御値〜第四制御値）を照明装置１１０の記憶部１１３に書き込む（Ｓ１５）。
【００７０】
［４．照明装置の動作］
制御値を用いた照明装置１１０の動作について説明する。
【００７１】
電流調整部１１２は、受付部１１１により操作パネル３００から電源スイッチ３０３が点灯に切り替えられたことを示す信号を受信されると、記憶部１１３より、制御値（第一制御値〜第四制御値）を取得する。
【００７２】
電流調整部１１２は、さらに、受付部１１１を介して操作パネル３００から色温度の指示値および明るさの指示値を取得する。電流調整部１１２は、色温度の指示値および明るさの指示値を用いて記憶部１１３に記憶された調光テーブルを検索することにより、第一光源部１２１の第一基準値および第二光源部１２２の第二基準値を取得する。
【００７３】
電流調整部１１２は、第一基準値、第二基準値、および、第一制御値〜第四制御値を用いて、実際に第一光源部１２１に供給する第一電流値および実際に第二光源部１２２に供給する第二電流値を算出する。
【００７４】
本実施の形態では、第一電流値は、第一基準値ＲＩ１（％、Ｋ）×（１／第一制御値）×（１／第三制御値により算出される。第二電流値は、第二基準値ＲＩ２（％、Ｋ）×（１／第二制御値）×（１／第四制御値）により算出される。
【００７５】
例えば、第一制御値が１．１、第三制御値が１．０３の場合、第一電流値は、ＲＩ１（％、Ｋ）×（１／１．１）×（１／１．０３）となる。第二制御値が１．０５、第四制御値が０．９の場合、第二電流値は、ＲＩ２（％、Ｋ）×（１／１．０５）×（１／０．９）となる。
【００７６】
電流調整部１１２は、さらに、点灯累積期間などの情報を用いて、経年劣化によるルーメンの減少に対応するように、決定された電流値を補正しても構わない。
【００７７】
［５．効果等］
本実施の形態の照明装置１１０は、複数の照明装置の間で共通の色合いの光を出力させるための制御値を用いて、第一光源部１２１および第二光源部１２２のそれぞれに供給すべき駆動電流の初期値を算出する。そのため、複数の照明装置の間で、同じ明るさの指示値および色温度の指示値に対して、照明装置１１０から出力される光の色合いおよび明るさを揃えることができる。特に、１つの空間内に複数の照明装置が近接して配置される場合には、個体差による見え方の違いを抑制することができる。
【００７８】
また、上記実施の形態における照明装置１１０の補正方法では、複数の照明装置の間で共通の色合いの光を出力させるための制御値を適切かつ簡単な方法で求めることができる。上述した補正方法により製造された照明装置１１０は、複数の照明装置の間で、同じ明るさの指示値および色温度の指示値に対して、同程度の明るさおよび色温度を実現できる。そのため、１つの空間内に複数の照明装置が近接して配置される場合であっても、見え方の違いを抑制することができる。
【００７９】
（その他の実施の形態）
以上、本発明に係る照明装置およびその補正方法について、上記実施の形態及びその変形例に基づいて説明したが、本発明は、上記の実施の形態に限定されるものではない。
【００８０】
（１）上記実施の形態では、制御値が目標値と測定値との比率である場合について示したが、これに限るものではない。例えば、（１／第一制御値）×（１／第三制御値）を演算した結果を第一光源部１２１についての制御値とし、（１／第二制御値）×（１／第四制御値）を算出した結果を第二光源部１２２についての制御値としても構わない。この場合には、照明装置１１０における演算負荷が軽減される。
【００８１】
（２）上記実施の形態では、ステップＳ１１およびステップＳ１２において、テスト用の駆動電流が与えられたときの第一光源部１２１および第二光源部１２２のそれぞれの明るさを測定したが、これに限るものではない。第一光源部１２１および第二光源部１２２の明るさが目標値となるときに与えている駆動電流の値を測定するように構成しても構わない。
【００８２】
つまり、第一光源部１２１を予め定められた明るさで点灯させ、第二光源部１２２を消灯させた状態で、第一光源部１２１に供給されている駆動電流の大きさ（第一測定値）を測定しても構わない。さらに、第二光源部１２２を予め定められた明るさで点灯させ、第一光源部１２１を消灯させた状態で、第二光源部１２２に供給されている駆動電流の大きさ（第二測定値）を測定しても構わない。この場合でも、間接的に明るさの測定結果が得られる。
【００８３】
同様に、上記実施の形態では、ステップＳ１３において、テスト用の指示値が与えられたときの第一電源部１３１および第二電源部１３２の駆動電流の大きさを測定したが、これに限るものではない。第一電源部１３１および第二電源部１３２から出力される駆動電流が目標値となるときの指示値を取得するように構成しても構わない。
【００８４】
（３）なお、上記実施の形態では、電源部１３０は、第一電源部１３１と第二電源部１３２の２つの出力を備える場合を例に説明したが、これに限るものではない。電源部１３０は、例えば、１つの出力を備え、当該１つの出力を第一光源部１２１および第二光源部１２２に分配するように構成されていても構わない。この場合、第三制御値と第四制御値とは同じ値になると考えられる。
【００８５】
（４）上記実施の形態では、光源部１２０の全光束（ルーメン）と電源部１３０から出力される駆動電流とを個別に測定する場合について説明したが、これらを組み立てた状態で光源部１２０の全光束を測定しても構わない。この場合、測定値には、ルーメンのばらつきの影響と駆動電流のばらつきの影響とが含まれる。
【００８６】
（５）また、上記実施の形態において、図４では、説明のため、電流調整部１１２と電源部１３０とを別個に記載しているが、電流調整部１１２の一部または全部の機能を電源部１３０が備えていても構わない。さらに、図４では、説明のため、記憶部１１３と電源部１３０と別個に記載しているが、記憶部１１３には、電源部１３０に備えられている記憶部が含まれていても構わない。言い換えると、調光テーブル等のデータが、電源部１３０内に構築されている記憶部に記憶されていても構わない。
【００８７】
（６）その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８８】
１１０  照明装置
１１２  電流調整部
１１３  記憶部
１２０  光源部
１２１  第一光源部（１以上の第一発光素子）
１２２  第二光源部（１以上の第二発光素子）
１３０  電源部
【図１Ａ】
0006528195.tif 000002
【図１Ｂ】
0006528195.tif 000003
【図２】
0006528195.tif 000004
【図３Ａ】
0006528195.tif 000005
【図３Ｂ】
0006528195.tif 000006
【図４】
0006528195.tif 000007
【図５】
0006528195.tif 000008
【図６】
0006528195.tif 000009